(57)【特許請求の範囲】
【請求項１】
表示部を有する携帯電話機を嵌め込むための空間を有する取扱説明書であり、
前記取扱説明書の少なくとも一部を構成する複数の所定のページのそれぞれに切抜部を有し、前記切抜部を重合させることにより前記空間を形成し、
前記複数の所定のページは、それぞれ異なる操作手順の説明が記載される操作説明が記載され、
前記操作説明は、前記切抜部に電子機器を嵌め込んだ状態にて操作手順を示す番号と、操作手順に応じて操作すべき部位を指し示す指標と、当該指標にて示された部位が操作されたときに前記表示部に表示される画面を示す画像とを含む
ことを特徴とする携帯電話機の取扱説明書。
【請求項２】
請求項１に記載の携帯電話機の取扱説明書において、
前記所定のページには、その両面にそれぞれ異なる操作手順の説明が記載されていることを特徴とする携帯電話機の取扱説明書。
【請求項３】
請求項２に記載の携帯電話機の取扱説明書において、
前記切抜部は、前記所定のページのいずれの面側からも携帯電話機を嵌め込み可能な形状に形成されていることを特徴とする携帯電話機の取扱説明書。
【請求項４】
請求項１から３のいずれか一項に記載の携帯電話機の取扱説明書において、
前記操作手順は、携帯電話機の有する複数種類の登録機能に関するものであり、それぞれの登録機能ごとの操作説明が異なるページに記載されることを特徴とする携帯電話機の取扱説明書。
【発明の詳細な説明】
【０００１】
【発明の属する技術分野】
本発明は、電子機器の取扱説明書に関するものである。
【０００２】
【従来の技術】
携帯電話機や携帯情報端末等の携帯型の電子機器は、多機能化／複雑化に伴い、その取扱説明書のページ数が増大し、字は小さく初心者ユーザ（例えば、高齢者／幼児者など）が使いこなすためには分かり難いものであった。さらに、取扱説明書と機器とを別々に持って操作するため、視線移動が大きく、「誤操作」や「説明上のキーと実機のキーとの認識間違い」などの原因となっていた。
結果的に初心者ユーザは機器を使いこなしているユーザの説明を求めることになってしまい、取扱説明書の本来の役割を果たしていないことが多かった。
【０００３】
【発明が解決しようとする課題】
本発明は、上記従来技術の課題に鑑みて、初心者ユーザ一人でも容易に操作手順を理解することのできる取扱説明書を提供することを目的とする。
また、視点移動を少なくし、誤動作の可能性を削減することのできる取扱説明書を提供することを目的とする。
また、本発明は、梱包の簡素化を図ることのできる取扱説明書を提供することを目的とする。
また、本発明は、商品の保護部材としての役割を果たすことのできる取扱説明書を提供することを目的とする。
また、本発明は、説明書作成及び商品運搬のためのコストを削減することのできる取扱説明書を提供することを目的とする。
【０００４】
【課題を解決するための手段】
上述の課題を解決するために、本発明は、表示部を有する携帯電話機を嵌め込むための空間を有し、取扱説明書の少なくとも一部を構成する複数の所定のページのそれぞれに切抜部を有し、切抜部を重合させることにより空間を形成し、複数の所定のページは、それぞれ異なる操作手順の説明が記載される操作説明が記載され、操作説明は、切抜部に電子機器を嵌め込んだ状態にて操作手順を示す番号と、操作手順に応じて操作すべき部位を指し示す指標と、当該指標に示された部位が操作されたときに表示部に表示される画面を示す画像とを含むことを特徴とする携帯電話機の取扱説明書を提供する。
上記所定のページには、その両面にそれぞれ異なる操作手順の説明が記載されていることを特徴とする。
上記切抜部は、所定のページのいずれの面側からも携帯電話機を嵌め込み可能な形状に形成されていることを特徴とする。
上記操作手順は、携帯電話機の有する複数種類の登録機能に関するものであり、それぞれの登録機能ごとの操作説明が異なるページに記載されることを特徴とする。
【０００５】
【発明の実施の形態】
次に添付図面を参照して、本発明による取扱説明書を携帯電話機の取扱説明書に適用したときの実施の形態について詳細に説明する。図１は本発明の実施の形態である取扱説明書と携帯電話機とを離したときの外観斜視図、図２は本発明の実施の形態である取扱説明書に携帯電話機を嵌め込んだときの外観斜視図、図３及び図４は本発明の実施の形態である取扱説明書の紙面を表した図である。図５は本発明の第２の実施の形態である取扱説明書の外観斜視図である。
【０００６】
図１に示すように、本発明の実施の形態である取扱説明書１０１には空間１０３が設けられている。空間１０３は、取扱説明書１０１を構成する所定のページに携帯電話機１０５を形取った切抜部を設け、これらのページを重合させることによって形成される。
切抜部を設けるページは全体のＸ割（例えば、Ｘ＝６または７）にあたるページであってもよいし、全ページであってもよい。また、取扱説明書１０１の裏表紙に厚紙を用い、その裏表紙以外（若しくは、表紙と裏表紙以外）のページに切抜部を設けてもよい。
【０００７】
図１は、取扱説明書１０１と携帯電話機１０５が分離しているときの図であり、取扱説明書１０１にしたがって操作手順を確認する場合には、携帯電話機１０５を矢印１０７の方向に移動させて空間１０３に嵌め込む。空間１０３は携帯電話機１０５の操作表示部を設けた面を上にして嵌め込めるよう、その面を形取って切抜部を所定のページに設けてある。
【０００８】
図２は携帯電話機１０５を操作表示部を設けた面を上にして空間１０３に嵌め込み、取扱説明書１０１の表紙側からみたときの外観斜視図である。そして、この状態で取扱説明書１０１の第１ページ目を開いたときの様子を表したのが図３である。
【０００９】
図３の３０７は取扱説明書１０１の表紙３０９に設けた切抜部である。３０１には操作項目（図３の場合「×××××の登録のしかた」）が記載されており、３０５ａ〜３０５ｄには操作手順が詳細に記載されている。
図３の３０３は当該ページが取扱説明書１０１の第何ページ目に該当するかが記載されている。ここでは「Ｐ．１」と記載されている。
【００１０】
操作手順３０５ａには１番目に行うキー操作（テンキーの「３」を押下する旨）が記載されている。操作手順３０５ａを囲む枠からは引出し線３０６ａが出ており、その枠と押下すべき携帯電話機１０５のテンキー（この場合「３」）とを結んでいる。
操作手順３０５ｂには２番目に行うキー操作（テンキーの「４」を押下する旨）とその時の画面状態が記載されている。操作手順３０５ｂを囲む枠からは引出し線３０６ｂが出ており、その枠と押下すべき携帯電話機１０５のテンキー（この場合「４」）とを結んでいる。
【００１１】
操作手順３０５ｃには３番目（図３の場合、最終ステップ）に行うキー操作（テンキーの「０」を押下する旨）とその時の画面状態が記載されている。操作手順３０５ｃを囲む枠からは引出し線３０６ｃが出ており、その枠と押下すべき携帯電話機１０５のテンキー（この場合「０」）のある列とを結んでいる。
操作手順３０５ｄには操作手順３０５ａ〜３０５ｃに関連するキー操作（テンキーの「９」を押下する旨）とその時の動作が記載されている。操作手順３０５ｄを囲む枠からは引出し線３０６ｄが出ており、その枠と押下すべき携帯電話機１０５のテンキー（この場合「９」）とを結んでいる。空間１０３に嵌め込まれた携帯電話機１０５をユーザーは操作手順に従って操作し、「×××××」の登録作業を容易に行える。
【００１２】
取扱説明書１０１の第２ページ目を開いたときの様子を表したのが図４である。
図４の４０７は前述した取扱説明書１０１の第２ページ目である。４０１には操作項目（図４の場合「○○○の登録のしかた」）が記載されており、４０５ａ〜４０５ｂには操作手順が詳細に記載されている。
図４の４０３は当該ページが取扱説明書１０１の第何ページ目に該当するかが記載されている。ここでは「Ｐ．２」と記載されている。
【００１３】
操作手順４０５ａには１番目に行うキー操作（テンキーの「３」を押下する旨）が記載されている。操作手順４０５ａを囲む枠からは引出し線４０６ａが出ており、その枠と押下すべき携帯電話機１０５のテンキー（この場合「３」）とを結んでいる。
操作手順４０５ｂには操作手順４０５ａから最終ステップ（図示せず）までの操作に関連するキー操作（テンキーの「９」を押下する旨）とその時の動作が記載されている。操作手順４０５ｂを囲む枠からは引出し線４０６ｂが出ており、その枠と押下すべき携帯電話機１０５のテンキー（この場合「９」）とを結んでいる。ユーザーは空間１０３に嵌め込まれた携帯電話機１０５を操作手順に従って操作し「○○○」の登録作業を容易に行える。なお、ページの両面に説明が記載してあることは言うまでもない。また、切抜部を左右対称に設ければ、携帯電話機を裏返して空間に嵌め込んで、各ページの裏面に記載した操作手順についても前述と同様に嵌め込んだ状態でキー操作を行える。
【００１４】
以上、本発明の実施の形態を詳細に説明したが、本発明はこれに限定されない。
例えば、図５に示すように表紙５０１にアクリル板を用いることで、外観の美しさ及び梱包の際の安定性を高めることもできる。
また、本実施の形態では携帯電話機の取扱説明書を例にとって説明したが、携帯電話機に限定されず、携帯情報端末及びポータブル・オーディオプレーヤー等、小型の各種電子機器にも適用可能であることは明らかである。
また、本発明によれば、電子機器と取扱説明書とを一体化して梱包することができるため、取扱説明書が電子機器の衝撃吸収材としての機能も果たし、梱包時の厚さも薄くなるため商品輸送コストの軽減を図ることができる。
さらに、本発明によれば、取扱説明書中の電子機器のイラストを省略することができるため取扱説明書作成のためのコストの軽減を図ることもできる。
【００１５】
【発明の効果】
本発明の取扱説明書によれば、初心者ユーザ一人でも容易に操作手順を理解することができる。
また、本発明の取扱説明書によれば、視点移動を少なくし、誤操作の可能性を削減することができる。
また、本発明の取扱説明書によれば、梱包の簡素化を図ることができる。
また、本発明の取扱説明書によれば、商品の保護部材としての役割を果たすことができる。
さらに、本発明の取扱説明書によれば、説明書作成及び商品輸送のためのコストを削減することができる。
【図面の簡単な説明】
【図１】本発明の実施の形態である取扱説明書と携帯電話機とを表す外観斜視図。
【図２】本発明の実施の形態である取扱説明書と携帯電話機とを表す外観斜視図。
【図３】本発明の実施の形態である取扱説明書と携帯電話機とを表す外観斜視図。
【図４】本発明の実施の形態である取扱説明書と携帯電話機とを表す外観斜視図。
【図５】本発明の実施の形態である取扱説明書と携帯電話機とを表す外観斜視図。
【符号の説明】
１０１    取扱説明書
１０３    空間
１０５    携帯電話機
３０７    切抜部
【図１】
0003865371.tif 000002
【図２】
0003865371.tif 000003
【図３】
0003865371.tif 000004
【図４】
0003865371.tif 000005
【図５】
0003865371.tif 000006